(57)【要約】【課題】冬季や寒冷地であっても配管内の水の凍結による作動不良や破裂を防止できる信頼性の高い、また加圧開放型一斉開放弁のごとき弁箱の大型化やコスト高を招くことのない減圧開放型の一斉開放弁を提供する。【解決手段】弁箱１の二次側室３とシリンダ室７を連通させるバイパス管１７を設け、このバイパス管１７の途中に常閉型の電動弁１８を設け、火災感知器１９の作動等によって電動弁１８を開作動させてシリンダ室７の圧力を減少させることにより弁体５が開放する。【選択図】    図１
2005000507.tif 000002
【特許請求の範囲】
【請求項１】
弁箱の内部に、一次側室と二次側室とが連通孔を挟んで形成されるとともに、前記連通孔を開閉する弁体が内蔵され、前記一次側室内の前記弁体の上方にシリンダ室が設けられ、このシリンダ室内には、前記弁体の上部に一体に設けられた、該弁体より受圧面積の大きなピストンが内蔵されている、減圧開放型の一斉開放弁において、前記二次側室と前記圧力室を連通させるバイパス管を設け、このバイパス管の途中に常閉型の電動弁を設け、火災感知器の作動等によって前記電動弁を開作動させて前記シリンダ室内の圧力を減少させることにより前記弁体が開放するようにしてあることを特徴とする、減圧開放型の一斉開放弁。
【請求項２】
前記電動弁とシリンダ室間のバイパス管の途中には、圧力調整を行うパイロット弁を設けている、請求項１記載の減圧開放型の一斉開放弁。
【発明の詳細な説明】
【０００１】
【発明の属する技術分野】
本発明は、泡消火設備や水噴霧消火設備に使用される減圧開放型の一斉開放弁に関する。
【０００２】
【従来の技術】
従来の減圧開放型一斉開放弁は、弁箱の内部に一次側室と二次側室とが連通孔を挟んで形成されるとともに、前記連通孔を開閉する弁体が内蔵され、前記一次側室内の前記弁体より上方にシリンダ室（またはピストン室）が設けられ、シリンダ室内には弁体より受圧面積の大きなピストンがあり、常時は一次側圧力によって弁体を弁座に押さえつけ、前記連通孔を閉止状態に保持している。前記シリンダ室は火災感知ラインに接続されており、火災感知ラインに取り付けた感知ヘッドの作動によって火災感知ラインが減圧状態になったときシリンダ室の圧力が減少することにより、弁体が開放し、一次側室から二次側室へ消火液が流れるようになっている（例えば、特許文献１参照。）。また、減圧開放型一斉開放弁に対し加圧開放型一斉開放弁があり、これも減圧開放型一斉開放弁と同様に弁箱の内部に一次側室と二次側室とが連通孔を挟んで形成されるとともに、前記連通孔を開閉する弁体が内蔵されるが、弁体の下部の二次側室内にシリンダ室（またはピストン室）が設けられ、このシリンダ室には弁体よりも受圧面積の大きいピストンがあり、開放弁（電磁弁または手動起動弁）の操作により、一次側圧力水をシリンダ室に圧入し、加圧することによって弁体を押し上げ開放するものである（例えば、特許文献２参照）。
【０００３】
【特許文献１】
特開２００２−３２０６８７号公報（
【従来の技術】の欄、図６）
【０００４】
【特許文献２】
特開平１０−１５１０２号公報（段落番号［００３４］〜［００３６］、図２）
【０００５】
【発明が解決しようとする課題】
しかるに、上記減圧開放型一斉開放弁の火災感知ラインの配管内は充水されているため、冬季や寒冷地では、駐車場の泡消火設備等において火災感知ラインの配管内の充水が凍結し、火災時に有効な消火作動ができない恐れがあり、また配管が凍結膨張により破裂する恐れがあった。これに対して、加圧開放型一斉開放弁は火災感知ラインを有しないため、冬季や寒冷地でも火災感知ラインの凍結問題が生じることはないが、弁箱の下部に別途シリンダ室（またはピストン室）が膨出状に形成される構造上、弁箱の大型化やコスト高を招くという問題があった。
【０００６】
本発明は、このような問題を解消するためになされたものであり、その目的とするところは、冬季や寒冷地であっても配管内の水の凍結による作動不良や破裂を防止できる信頼性の高い、また加圧開放型一斉開放弁のごとき弁箱の大型化やコスト高を招くことのない減圧開放型の一斉開放弁を提供することにある。
【０００７】
【課題を解決するための手段】
本発明は、弁箱の内部に、一次側室と二次側室とが連通孔を挟んで形成されるとともに、前記連通孔を開閉する弁体が内蔵され、前記一次側室内の前記弁体の上方にシリンダ室が設けられ、このシリンダ室内には、前記弁体の上部に一体に設けられた、該弁体より受圧面積の大きなピストンが内蔵されている、減圧開放型の一斉開放弁において、前記二次側室と前記シリンダ室を連通させるバイパス管を設け、このバイパス管の途中に常閉型の電動弁を設け、火災感知器の作動等によって前記電動弁を開作動させて前記シリンダ室内の圧力を減少させることにより前記弁体が開放するようにしてあることに特徴を有するものである。
【０００８】
この場合において、上記電動弁とシリンダ室間のバイパス管の途中には、圧力調整を行うパイロット弁を設けることができる。
【０００９】
【発明の作用・効果】
上記構成の減圧開放型一斉開放弁によれば、二次側室とシリンダ室にバイパス管を設け、このバイパス管の途中に電動弁を設け、火災感知器の作動等によって電動弁を開作動させてシリンダ室内の圧力を減少させることにより弁体が開放するようにしてあるので、従来の減圧開放型一斉開放弁のごとき充水感知ラインを必要とせず、したがって冬季や寒冷地であっても感知ライン配管内の水の凍結による作動不良や破裂の問題を解消できることになる。
【００１０】
また、既設のシリンダ室を利用し、このシリンダ室と二次側室にバイパス管を設けるだけであるので、別途シリンダ室が弁箱の下部に膨出状に形成される従来の加圧開放型一斉開放弁のごとき弁箱の大型化やコスト高を招くことがない。
【００１１】
【発明の実施の形態】
本発明に係る減圧開放型の一斉開放弁の好適な実施形態を図面に基づき説明する。図１は一実施例の一斉開放弁を閉止状態で示す断面図、図２は他の実施例の一斉開放弁を閉止状態で示す断面図である。
【００１２】
図１において、本発明に係る減圧開放型の一斉開放弁は、弁箱１の内部に一次側室２と二次側室３とが連通孔４を挟んで形成されるとともに、連通孔４を開閉する弁体５が内蔵される。図示例の弁体５は弁棒６の下端寄り中途部に一体の小弁５ａと、小弁５ａの下部の弁棒６に挿通された大弁５ｂの二つからなり、小流量時には小弁５ａのみ開放してハンチングを防止し、大流量時に大弁５ｂと小弁５ａが開放するものとしてなるが、単弁であってもよい。一次側室２において弁体５の上方にはシリンダ室７が設けられ、シリンダ室７内には弁体５より受圧面積の大きなピストン８が内蔵されるが、このピストン８はシリンダ室７の底部中央孔９に貫通される弁棒６の上端部に一体に形成されている。シリンダ室７の底部には一次側室２とシリンダ室７とを連通するための小さい通孔１０を形成するとともに、ピストン８にも小さい通孔１１を形成している。したがって、常時はピストン８の上面に受ける一次側の泡水溶液等の圧力水によって弁体５を連通孔４の周辺の弁座１２に押さえつけ、連通孔４を閉止状態に保持している。
【００１３】
一次側室２の入口１３は、加圧送水装置（図示せず）に一次側配管１４を介して接続され、二次側室３の出口１５には二次側配管１６が接続され、二次側配管１６には熱溶解可能な感熱部（ヒュージブルリンクまたはグラスバルブ）及びシール機構を有する周知の閉鎖型スプリンクラーヘッド（図示せず）が取り付けられる。
【００１４】
上記構成の一斉開放弁において、本発明は、シリンダ室７と二次側室３を連通するバイパス管１７を設け、このバイパス管１７の途中に電動ボール弁等による常閉型の電動弁１８を設け、常時は電動弁１８にてバイパス管１７の途中を閉止状態にし、電動弁１８が火災の発生を感知する火災感知器１９が発する火災信号を制御盤２０を介して受けると開作動し、この開作動によりシリンダ室７内の消火液（圧力水）がバイパス管１７を介して二次側室３に流出しシリンダ室７内の圧力が減少することにより、弁体５が開放し、消火液が一次側室２から二次側室３へ連通孔４を介して流れるようにしてあることに特徴を有する。なお、電動弁１８とシリンダ室７間のバイパス管１７の途中には、必要に応じて、圧力調整を行うパイロット弁２１を設ける。
【００１５】
この場合において、常時は二次側室３を大気圧で閉塞状態にしておき、火災感知器１９の作動により電動弁１８が開作動してシリンダ室７内の圧力を減少させることにより弁体５を開放し、一次側室２から消火液が連通孔４を介して二次側室３へ流入することにより二次側配管１６内を加圧充水状態とする。しかる後、二次側配管１６に取り付けられた閉鎖型スプリンクラーヘッドの感熱部が火災時に発生する熱により溶解することによって該ヘッドのシール機構が分解し、放水口が開放されて消火液が放出されるようにすることができる。これによれば、火災発生時に火災感知器１９の作動により予め二次側配管１６内を加圧充水状態にしておく方式であるので、二次側配管１６に取り付けられた閉鎖型スプリンクラーヘッドの感熱部が溶解すると同時に消火液を瞬時に放出することが可能となり、また非火災時に万一配管の破損事故に遭遇しこの破損により空隙部が発生しても、火災感知器１９が火災の発生を感知しない限り、消火液が放出されるという誤放出も無くなる。
【００１６】
電動弁１８は図１のごとき火災感知器１９の作動により開作動させるに代えて、図２に示すように、常時は二次側室３を微小加圧された加圧空気の充填で閉塞状態にしておき、火災発生時には二次側配管１６に取り付けられた閉鎖型スプリンクラーヘッドの感熱部が火災発生熱により溶解して該ヘッドのシール機構が分解し、この分解により二次側配管１６内の圧力が低下するのを圧力センサー２２で感知し、電動弁１８が圧力センサー２２の感知信号を制御盤２０を介して受けることにより開作動するようにすることもできる。
【００１７】
この場合、電動弁１８の開作動によりシリンダ室７の圧力が減少して弁体５が開放し、一次側室２から二次側室３へ流れ込む消火液が閉鎖型スプリンクラーヘッドのシール機構分解により開放された放水口から放出する。これによれば、常時は二次側配管１６内に空気を加圧充填して充水状態とはしないため、冬季や寒冷地であっても二次側配管１６の凍結の心配も無くなる。
【００１８】
なお、電動弁１８は図外の手動開放装置の操作によって開作動させることもできる。
【図面の簡単な説明】
【図１】本発明の一実施例の一斉開放弁を閉止状態で示す断面図である。
【図２】本発明の他の実施例の一斉開放弁を閉止状態で示す断面図である。
【符号の説明】
１  弁箱
２  一次側室
３  二次側室
４  連通孔
５  弁体
６  弁棒
７  シリンダ室
８  ピストン
１６  二次側配管
１７  バイパス管
１８  電動弁
１９  火災感知器
２１  パイロット弁
２２  圧力センサー
【図１】
2005000507.tif 000003
【図２】
2005000507.tif 000004